(57)【要約】      （修正有）【課題】必要最低限の力でコップを保持し、見場も良く、デザイン性に優れた取っ手を持つコップを提供する。【解決手段】コップ１の上部の外周部と略平行な輪っか状の取っ手部に指（例えば人差し指）を上から下に引っ掛けて、コップを保持する取っ手を設ける。コップの内部の飲食物と指が接しない様に、また飲食物が外部に漏れない様に保護管２が作成されている。保護管が接しているコップの外周部の一部は切り取られ、そこから、指を外側に出せる構造になっている。切り取られる部位は、全部ではなく、上部側に指が引っ掛ける部位３を残しておく。またその部位は、上から差し込む指の第一関節と第二関節の手の平の境目の溝に引っ掛けることが容易になるように下部を内側に向かつて傾斜４を付ける。【選択図】図２
2014133076.tif 000002
【特許請求の範囲】
【請求項１】
机上に置いた際のコップの液面に略水平の横向きの取っ手を付け、かつ取っ手に指が入る大きさの穴が開いている事を特徴とする横向き取っ手が付いたコップ。
【請求項２】
請求項１の取っ手付コップに於いて、コップ内部に保護管を配置し、保護管と接するコップ外周部の一部を切り取り、残った部位を横向き取っ手とすることを特徴とする横向き取っ手が付いたコップ。
【請求項３】
請求項２のコップに於いて、取っ手部が５ミリ乃至２５ミリの長さで、取っ手の位置はコップの高さ方向の半分より上方に付いていることを特徴とする横向き取っ手が付いたコップ。
【請求項４】
請求項２のコップに於いて、保護管がコップの底まで達し、底部まで穴が空いている事を特徴とする横向き取っ手付が付いたコップ。
【発明の詳細な説明】
【技術分野】
【０００１】従来、コップにはコップを掴むための取っ手が付けられている。しかし、この取っ手は、持つ時は便利だが収納する際には、意外と場所をとるために、収納スペースに限りがある場合には、片づけるのが大変であった。【０００２】また液体状の飲食物（以下、飲食物と略称する）を飲む時には、取っ手を掴んで、コップ全体を水平に支えるのに添える指、手首、腕にかなりの力が掛かる。飲食物を飲むには、コップを口に当て、少しづつ手首を手前側に捩じることが必要である。この動作は、手首が不自由な人や幼児には難しく、一口飲み終わってテーブルに置くまで、人にもよるが、可也の力を入れ続けなければならない。【０００３】また、取っ手のないコップで飲食するためには、前述と同様にコップを手で挟んで掴む力が必要であった。そこで、本発明は、必要最低限の力でコップを保持し、手首を回転しなくても飲むことができる新規な場所を取らない取っ手を持つコップに関するものである。
【背景技術】
【０００４】従来、コップは、飲食物を内部に入れ、そのコップを取っ手の有無に拘わらず、コップを掴んで口元に運び、手首を内側に捻って飲食していた。
【先行技術文献】
【特許文献】
【０００５】
【特許文献１】意匠登録７４２６０３号
【特許文献２】特許公開２００４−２１６０７７号
【発明の概要】
【発明が解決しようとする課題】
【０００６】取っ手の無い場合も熱い飲食物が入っている場合には、直接コップを掴むことは出来ない。従来のコップは、取っ手の有無に拘わらず、取っ手を持ったり、コップを手で握ったりしてコップを口元に運び手首を手前側に捩じってコップ内の飲食物を飲んでいた。しかし、コップの取っ手を掴んで口元に運ぶには、取っ手を一点で両側から指で挟んでコップと飲食物の重量を支える必要があり、更にその一点を支点とするコップと飲食物の重量による回転を止めるために、更に力が必要であった。取っ手の無い場合も熱い飲食物が入っている場合には、直接コップを掴むことは出来ない。【０００７】特許文献１には、従来のコップと異なり、コップの上側から見た時に、円形状のコップ外周内に取っ手を配置した構造になっており、板状の取っ手を両側から指（例えば、親指と人差し指）で挟み、コップを保持する構造である。これは、指で挟み込む関係上、思いの外、力が必要である。【０００８】特許文献２は、取っ手に横方向から指を入れ残りの指でコップを保持する構造であるが熱い飲食物を飲む場合は、熱くてコップを保持するのが困難である。【０００９】従って、従来のコップは、健常者が飲食物を飲むことはそれ程問題なく出来るが、手の不自由な人や幼児が使うには問題があった。そこで、本発明では、必要最低限の力でコップを保持し、見場も良く、デザイン性に優れた取っ手を持つコップを提供する。
【課題を解決するための手段】
【００１０】そこで、上記問題点を解決するために、発明者は、第１図の様にコップの上部の外周部と略平行な輪っか状の取っ手部に指を上から下に引っ掛けて、コップを保持する新規な取っ手を提案する。
【発明の効果】
【００１１】従来のコップは、健常者が飲食物を飲むことは、全く問題なく出来るが、取っ手、コップを掴むことが不自由な人や幼児が使うには問題があった。本発明では、誰でも、必要最低限の力でコップを保持し、手首を捩じることなく飲用することができる新規な取っ手を持つコップを提案するものである。【００１２】本発明は、単に飲食物を入れるコップとしてではなく、コップの取っ手部位に上から歯ブラシなどを挿して歯ブラシを保持すことが可能であったり、壁に取り付けたフックに取っ手部を引っ掛けることにより、物入れとしても使用できる。
【図面の簡単な説明】
【００１３】
【図１】本発明の使用状況を説明する斜視図
【図２】コップの内部に指を入れる保護管を付けた斜視図
【図３】本発明の平面図
【図４】本発明の正面図
【図５】本発明の保護管をコップの下部まで貫通した斜視図
【発明を実施するための形態】
【００１４】発明者は、第１図の様にコップの上部の外周部と略平行な輪っか状の取っ手部に指（例えば人差し指）を上から下に引っ掛けて、コップを保持する新規な取っ手を提案する。
【００１５】この構造は、第２図の様にコップの内部の飲食物と指が接しない様に、また飲食物が外部に漏れない様に保護管が作成されされている。保護管が接しているコップの外周部の一部は切り取られ、そこから、指を外側に出せる構造になっている。
【００１６】切り取られる部位は、全部ではなく、上部側に指が引っ掛ける部位３を残しておくことが必要である。また部位３は、第２図の如く、下部を部位４の様に内側に向かって傾斜を付けておくと良い。何故ならば、下部に傾斜をつけて薄くすると、上から差し込む指の第一関節と第二関節の手の平の境目の溝に引っ掛けることが容易になるからである。この指の肉の溝に引っ掛けると、それだけでコップを保持し易くなる。
【００１７】実際にコップを保持するには、第１図の様に、人差し指を保護管２に差し込み、指の第一関節の裏側の肉の溝に引っ掛け、親指と中指の外側で軽く挟みこむと良い。本発明のコップの保持方法は、従来の取っ手を掴んだり、コップ自体を掴む保持方法（手の甲は、地面に対して垂直）と比較して手の甲が既に地面と平行なので、手首を捩じってコップの飲食物を飲食しなくてもコップを持ち上げるだけで、飲食することができる。
【００１８】コップの材質は、プラスチックスでは、一般的に食品用途として使用されているポリエチレン、ポリプロピレン、ポリスチレン、ポリエチレンテテフタレート、メラミン樹脂などであるが、これらに限定されるものではない。実際の成形方法は、圧縮成形、射出成型、熱成形などの一般的な成形方法で作成することができる。
【００１９】プラスチックス以外では、陶磁器製のコップでも良い。陶磁器作成には、粘土を使用して、ろくろ成形したり、原料のセラミックス紛体に水と分散剤を添加し、ボールミルで粉砕混合後、石膏型に流しこんで成形する鋳込み成形などで成形、乾燥後、釉薬をかけて、９００℃〜１３００℃で焼結すると良い。また釉薬は、６００℃〜８００℃で素焼き後に塗布し、乾燥後、焼結しても良い。錫、銅などの金属で作成しても良い。金属の場合は、取っ手にプラスチックスのカバーを付けても良い。プラスチックスで取っ手部位が一体成型出来ない場合は、コップ部の成形後、別途作成しておいた同じ組成の取っ手部を、熱圧着しても良い。陶磁器の場合も同様に取っ手部を別途成形しておき、水や、同質の粘土で接着し、乾燥後焼結すると良い。
【００２０】取っ手の位置は、コップの高さ方向の上部二分の一より上にあると良い。好ましくは、更にコップの上部四分の一より上にあると良い。取っ手部の幅は、指の先端から数えて第一関節と第二関節の間隔より僅かに少ない程度であれば、気持ち良く、違和感なく持つことができるので、５ミリ乃至２５ミリ程度が良い。
【００２１】取っ手の形状は、基本的に、コップの外周形状と同様が良いが、壁掛けして保管するには、壁と平行すなわち、直線状でも良い。また、第５図の様にコップの下部まで保護管を延長して底も無い状態でも良いし、最下部に最下部外周部と同様な形状の底面を作成しても良い。例えば、取っ手部に歯ブラシなどを入れる時には、歯ブラシの下端がそこで止まるので便利である。
【００２２】保護管の形状は、円筒状、四角柱状、三角柱状など指が入る形状であればどの様な形状でも良い。但し、コップを綺麗に洗浄するためには、保護管が底部まで届いた構造が良い。保護管の大きさは、指が１本から３本まで入る大きさが良いが、基本的には１本で十分である。４本を入れた場合、外側を支えるのは、親指だけになるので好ましくないし、飲食物を入れる容量が少なくなる。
【００２３】保護管の厚さは、コップと同寸法の厚さでも良いが、遮熱のために更に厚くしても良い。本発明のコップに従来の取っ手を更に付けても良い。両方の取っ手があれば、どの様な人でもコップを持つことができる。本発明のコップの底部に縁の有る皿状の板を取り付けても良い。パーティー時などには、右利きの人であれば、左手人指しの指を本発明のコップの取っ手に上から差し込み、底部に取り付けたお皿に食べ物や、箸を乗せると、それ程力を入れずに簡単に保持できるので、コップの落下を気にせず、会話を楽しむことができる。底部の皿は、使用時に取り付け、使用しないときは外すことができるはめ込み式などの構造にすれば良い。尚、本発明の取っ手は、コップ内部だけではなく、コップの外周部の外に配置しても良い。
【符号の説明】
【００２４】    １  コップ
２  保護管
３  指引っ掛け部
４  傾斜を付けた傾斜部
５  右利きの場合の手
【図１】
2014133076.tif 000003
【図２】
2014133076.tif 000004
【図３】
2014133076.tif 000005
【図４】
2014133076.tif 000006
【図５】
2014133076.tif 000007